(57)【要約】  【課題】圧縮機の吐出側と吸入側の圧力バランスをとる時間を短縮できる自動販売機を提供する。  【解決手段】電源投入時、及び収納室５の冷温設定の切り替え時に、圧縮機４の運転開始を所定の遅延時間だけ遅らせ、その間電磁弁１４と庫内送風用電動機７と凝縮器送風用電動機１０に通電する第一の圧縮機運転開始遅延手段１７と、第一の圧縮機運転開始遅延手段１７で設定された時間を記憶する記憶部１８と、電源が切れてからあるいは収納室５の冷温設定からの切り替え時からの時間を計測するタイマー１６と、タイマー１６で計測した時間と記憶部１８に記憶された時間を比較し、圧縮機４の遅延動作の指示信号を出す制御部２４を構成することで、圧縮機４の遅延動作時間に電磁弁１４と庫内送風用電動機７と凝縮器送風用電動機１０に通電し、圧縮機４の吐出側と吸入側の圧力バランスをとる時間を短縮し、圧縮機の起動不良を解消する。【選択図】図１
2008134886.tif 000002
【特許請求の範囲】
【請求項１】
商品を収納する断熱構造の収納室と、前記収納室内を冷却する冷却装置と前記冷却装置は圧縮機と電磁弁と庫内送風用電動機と凝縮器送風用電動機から構成されており、電源投入時、及び前記収納室の冷温設定の切り替え時に、前記圧縮機の運転開始を所定の遅延時間だけ遅らせ、その間前記電磁弁と前記庫内送風用電動機と前記凝縮器送風用電動機に通電する第一の圧縮機運転開始遅延手段と、前記第一の圧縮機運転開始遅延手段で設定された時間を記憶する記憶部と、電源が切れてからあるいは前記収納室の冷温設定からの切り替え時からの時間を計測するタイマーと、前記タイマーで計測した時間と前記記憶部に記憶された時間を比較し、前記圧縮機の遅延動作の指示信号を出す制御部から構成されたことを特徴とする自動販売機。
【請求項２】
冷温設定毎に圧縮機の遅延動作時間を設定する第二の圧縮機運転開始遅延手段と、前記第二の圧縮機運転開始遅延手段で設定された時間を記憶する記憶部と、電源が切れてからあるいは前記収納室の冷温設定からの切り替え時からの時間を計測するタイマーと、前記タイマーで計測した時間と前記記憶部に記憶された時間を比較し、前記圧縮機の遅延動作の指示信号を出す制御部から構成されたことを特徴とする請求項１に記載の自動販売機。
【請求項３】
自動販売機に設けた外気温検知手段と、外気温毎に圧縮機の遅延動作時間を設定する第三の圧縮機運転開始遅延手段と、前記第三の圧縮機運転開始遅延手段で設定された時間を記憶する記憶部と、電源が切れてからあるいは前記収納室の冷温設定からの切り替え時からの時間を計測するタイマーと、前記タイマーで計測した時間と前記記憶部に記憶された時間を比較し、前記圧縮機の遅延動作の指示信号を出す制御部から構成されたことを特徴とする請求項１に記載の自動販売機。
【請求項４】
前記冷却装置の凝縮器の温度を検知する凝縮器温度検知手段と、前記冷却装置の冷却器の温度を検知する冷却器温度検知手段と、前記凝縮器温度検知手段で検知した温度と前記冷却器温度検知手段で検知した温度がともに所定の温度に到達するまで前記圧縮機の運転開始を遅らせる第四の圧縮機運転開始遅延手段と、前記第四の圧縮機運転開始遅延手段で設定された温度を記憶する記憶部と、前記凝縮器温度検知手段と前記冷却器温度検知手段で検知した温度と前記記憶部に記憶された温度を比較し、前記圧縮機の遅延動作の指示信号を出す制御部から構成されたことを特徴とする請求項１に記載の自動販売機。
【請求項５】
前記収納室の温度を検知する庫内温度検知手段と、前記庫内温度検知手段で検知した温度で検知した温度が所定の温度に到達するまで前記圧縮機の運転開始を遅らせる第五の圧縮機運転開始遅延手段と、前記第五の圧縮機運転開始遅延手段で設定された温度を記憶する記憶部と、前記庫内温度検知手段で検知した温度と前記記憶部に記憶された温度を比較し、前記圧縮機の遅延動作の指示信号を出す制御部から構成されたことを特徴とする請求項１に記載の自動販売機。
【発明の詳細な説明】
【技術分野】
【０００１】
本発明は、商品収納装置に収納された商品を冷却または加温して商品を販売するようにした自動販売機に関し、特に冷却装置の圧縮機制御装置に関するものである。
【背景技術】
【０００２】
従来、この種の自動販売機の冷却装置の圧縮機制御装置として運転開始遅延手段を採用しているものがあった（特許文献１参照）。
【０００３】
図１３は前記文献に記載された従来の自動販売機の冷却装置の圧縮機制御装置のブロック図を示すものである。図１３において、電源１が停電した後復帰すると、運転制御回路２はＦ室温度センサー３により検出したＦ室温度と、通常の温度制御運転中における上限設定温度Ｔｆｎよりも高く設定された運転開始判定温度Ｔｆｃとを比較する。Ｆ室温度が運転開始判定温度Ｔｆｃ未満の場合には、遅延タイマーを用いて遅延時間を待った後に圧縮機４の運転を開始するものがあった。
【特許文献１】特開平１１−３１１４５５号公報
【発明の開示】
【発明が解決しようとする課題】
【０００４】
しかしながら、前記従来の構成では、圧縮機のみの遅延動作であり、圧縮機の吐出側と吸入側の圧力バランスをとるのに時間を多く要するために、短い周期での電源の入切が発生した場合、または短時間の停電時に、圧縮機の起動不良という問題があった。
【０００５】
本発明は、上記従来の課題を解決するもので、圧縮機の遅延動作時間に電磁弁と庫内送風用電動機と凝縮器送風用電動機に通電することで圧縮機の吐出側と吸入側の圧力バランスをとる時間を短縮できる自動販売機を提供することを目的とする。
【課題を解決するための手段】
【０００６】
前記従来の課題を解決するために、本発明の自動販売機は、商品を収納する断熱構造の収納室と、前記収納室内を冷却する冷却装置と前記冷却装置は圧縮機と電磁弁と蒸発器送風用電動機と凝縮器送風用電動機から構成されており、電源投入時、及び前記収納室の冷温設定の切り替え時に、前記圧縮機の運転開始を所定の遅延時間だけ遅らせ、その間前記電磁弁と前記庫内送風用電動機と前記凝縮器送風用電動機に通電する第一の圧縮機運転開始遅延手段と、前記第一の圧縮機運転開始遅延手段で設定された時間を記憶する記憶部と、電源が切れてからあるいは前記収納室の冷温設定からの切り替え時からの時間を計測するタイマーと、前記タイマーで計測した時間と前記記憶部に記憶された時間を比較し、前記圧縮機の遅延動作の指示信号を出す制御部を構成することで、圧縮機の遅延動作時間に電磁弁と庫内送風用電動機と凝縮器送風用電動機に通電し、圧縮機の吐出側と吸入側の圧力バランスをとる時間を短縮し、短い周期での電源の入切が発生した場合、または短時間の停電時に、圧縮機の起動不良を解消することができる。
【発明の効果】
【０００７】
本発明の自動販売機は、圧縮機の遅延動作時間に電磁弁と庫内送風用電動機と凝縮器送風用電動機に通電することで圧縮機の吐出側と吸入側の圧力バランスをとる時間を短縮し、圧縮機の起動不良を解消することができる。
【発明を実施するための最良の形態】
【０００８】
請求項１に記載の発明は、商品を収納する断熱構造の収納室と、前記収納室内を冷却する冷却装置と前記冷却装置は圧縮機と電磁弁と蒸発器送風用電動機と凝縮器送風用電動機から構成されており、電源投入時、及び前記収納室の冷温設定の切り替え時に、前記圧縮機の運転開始を所定の遅延時間だけ遅らせ、その間前記電磁弁と前記庫内送風用電動機と前記凝縮器送風用電動機に通電する第一の圧縮機運転開始遅延手段と、前記第一の圧縮機運転開始遅延手段で設定された時間を記憶する記憶部と、電源が切れてからあるいは前記収納室の冷温設定からの切り替え時からの時間を計測するタイマーと、前記タイマーで計測した時間と前記記憶部に記憶された時間を比較し、前記圧縮機の遅延動作の指示信号を出す制御部を構成することで、圧縮機の遅延動作時間に電磁弁と庫内送風用電動機と凝縮器送風用電動機に通電することで圧縮機の吐出側と吸入側の圧力バランスをとる時間を短縮し、短い周期での電源の入切が発生した場合、または短時間の停電時に、圧縮機の起動不良を解消することができる。
【０００９】
請求項２に記載の発明は、冷温設定毎に圧縮機の遅延動作時間を設定する第二の圧縮機運転開始遅延手段を設けることにより、冷温設定毎に最適な圧縮機の遅延動作時間を設定し、起動不良を解消することができる。
【００１０】
請求項３に記載の発明は、外気温毎に圧縮機の遅延動作時間を設定する第三の圧縮機運転開始遅延手段を設けることにより、外気温毎に最適な圧縮機の遅延動作時間を設定し、起動不良を解消することができる。
【００１１】
請求項４に記載の発明は、前記冷却装置の凝縮器の温度を検知する凝縮器温度検知手段と、前記冷却装置の冷却器の温度を検知する冷却器温度検知手段と、前記凝縮器温度検知手段で検知した温度と前記冷却器温度検知手段で検知した温度がともに所定の温度に到達するまで前記圧縮機の運転開始を遅らせることにより、圧縮機の吐出側と吸入側の圧力バランスを検出した温度で判断し、最適な圧縮機の遅延動作をさせて、圧縮機の起動不良を解消することができる。
【００１２】
請求項５に記載の発明は、前記収納室の温度を検知する庫内温度検知手段と、前記庫内温度検知手段で検知した温度を温度毎に遅延時間を設定することにより、収納室内温度に応じて、最適な圧縮機の遅延動作をさせて、圧縮機の起動不良を解消することができる。
【００１３】
（実施の形態１）
図１は、本発明の実施の形態１における自動販売機の側面断面図である。図２は、同実施の形態の自動販売機の下部に形成されている機械室の断面図である。図３は、同実施の形態の自動販売機のブロック図である。図４は、同実施の形態の自動販売機の動作を示すフローチャートである。
【００１４】
図１において収納室５は断熱材により半密閉構造となっている。収納棚６は販売される商品を冷却保存するものである。庫内送風用電動機７は収納棚６に収納されている商品を温度のばらつきなく冷気を循環させるものである。冷却器８は収納棚６に収納された商品を冷却する。凝縮器９と凝縮器送風用電動機１０と圧縮機４が機械室１１に配置されており、それらで冷却装置１２が形成されている。また、収納室５は加温装置（図示せず）により商品を加温保存に切り替えることもできる。機械室１１は収納室５と隔離され、本体の下部に形成されている。
【００１５】
図２において機械室１１には圧縮機４と補助凝縮器１２と凝縮器９とドライヤー１３と電磁弁１４とアキュームレーター１５と凝縮器送風用電動機１６が収納されている。冷却装置１２は圧縮機４と補助凝縮器１２と凝縮器９とドライヤー１３と電磁弁１４と冷却器８とアキュームレーター１５を順次配管で接続し、収納室５内を冷却する。
【００１６】
以上のように構成された自動販売機についてその動作を説明する。
【００１７】
収納棚６に収納された商品を冷却する場合、冷却装置１２の運転を行い、冷却器８で冷却された冷気を庫内送風用電動機７により循環され、冷風は収納棚６に収納された商品を冷却し、再度冷却器８へ戻り冷却を繰り返す。
【００１８】
図３において、各ブロックは電源１が切れてからあるいは収納室５の冷温設定の切り替え時からの時間を計測するタイマー１６、圧縮機４の運転開始を遅らせる時間（遅延時間）とその遅延時間内に庫内送風用電動機７と凝縮器送風用電動機１０と電磁弁１４の通電時間を設定する第一の圧縮機運転開始遅延手段１７、第一の圧縮機運転開始遅延手段１７で設定した遅延時間を記憶する記憶部１８、タイマー１６と記憶部１８の信号を受ける演算部１９、演算部１９からの信号により第一のリレー２０、第二のリレー２１、第三のリレー２２、第四のリレー２３を制御する制御部２４から構成されている。
【００１９】
さらに、第一のリレー２０には第一の接点２５が対応しており、電源ライン間に圧縮機４が接続されている。第二のリレー２１には第二の接点２６が対応しており、電源ライン間に庫内送風用電動機７が接続されている。第三のリレー２２には第三の接点２７が対応しており、電源ライン間に凝縮器送風用電動機１０が接続されている。第四のリレー２３には第四の接点２８が対応しており、電源ライン間に電磁弁１４が接続されている。
【００２０】
以上のように構成された自動販売機について図４でその動作を説明する。
【００２１】
ＳＴＥＰ１では、第一の圧縮機運転開始遅延手段１７で遅延時間Ａ１を設定する。設定された遅延時間Ａ１は記憶部１８に記憶される。
【００２２】
ＳＴＥＰ２では、演算部１９がタイマー１６で計測した時間ａ１がＳＴＥＰ１で設定した遅延時間Ａ１以下と判断したとき、制御部２４は第一のリレー２０を励磁し第一の接点２５を開きＳＴＥＰ３で圧縮機４の通電を停止し、第二のリレー２１を励磁し第二の接点２６を閉じ、また第三のリレー２２を励磁し第三の接点２７を閉じ、またさらに第四のリレー２３を励磁し第四の接点２８を閉じＳＴＥＰ３で庫内送風用電動機７と凝縮器送風用電動機１０と電磁弁１４の通電を開始する。
【００２３】
ＳＴＥＰ４では、演算部１９がタイマー１６で計測した時間ａ１がＳＴＥＰ１で設定した通電時間Ａ１以上と判断したとき、制御部２４は第一のリレー２０を励磁し第一の接点２５を閉じＳＴＥＰ５で圧縮機４の通電を開始する。
【００２４】
このように構成された自動販売機は、圧縮機４の遅延動作時間に庫内送風用電動機１６と凝縮器送風用電動機１６と電磁弁１４の通電をし、圧縮機４の吐出側と吸入側の圧力バランスをとる時間を短縮し、短い周期での電源の入切が発生した場合、または短時間の停電時に、圧縮機の起動不良を解消できる。
【００２５】
（実施の形態２）
図５は、本発明の実施の形態２による自動販売機のブロック図である。図６は、同実施の形態の自動販売機の動作を示すフローチャートである。
【００２６】
図５において、各ブロックは電源１が切れてからあるいは収納室５の冷温設定の切り替え時からの時間を計測するタイマー１６ａ、収納室５の冷却加温の設定別に圧縮機４の運転開始を遅らせる時間（遅延時間）とその遅延時間内に庫内送風用電動機７と凝縮器送風用電動機１０と電磁弁１４の通電時間を設定する第二の圧縮機運転開始遅延手段２９、第二の圧縮機運転開始遅延手段２９で設定した遅延時間を記憶する記憶部１８ａ、タイマー１６ａと記憶部１８ａの信号を受ける演算部１９ａ、演算部１９ａからの信号により第一のリレー２０、第二のリレー２１、第三のリレー２２、第四のリレー２３を制御する制御部２４ａから構成されている。
【００２７】
さらに、第一のリレー２０には第一の接点２５が対応しており、電源ライン間に圧縮機４が接続されている。第二のリレー２１には第二の接点２６が対応しており、電源ライン間に庫内送風用電動機７が接続されている。第三のリレー２２には第三の接点２７が対応しており、電源ライン間に凝縮器送風用電動機１０が接続されている。第四のリレー２３には第四の接点２８が対応しており、電源ライン間に電磁弁１４が接続されている。
【００２８】
以上のように構成された自動販売機について図６でその動作を説明する。
【００２９】
ＳＴＥＰ１では、第二の圧縮機運転開始遅延手段２９で収納室５の冷温設定毎に遅延時間Ｂ１を設定する。設定された遅延時間Ｂ１は記憶部１８ａに記憶される。
【００３０】
ＳＴＥＰ２では、演算部１９ａがタイマー１６ａで計測した時間ｂ１がＳＴＥＰ１で設定した遅延時間Ｂ１以下と判断したとき、制御部２４ａは第一のリレー２０を励磁し第一の接点２５を開きＳＴＥＰ３で圧縮機４の通電を停止し、第二のリレー２１を励磁し第二の接点２６を閉じ、また第三のリレー２２を励磁し第三の接点２７を閉じ、またさらに第四のリレー２３を励磁し第四の接点２８を閉じＳＴＥＰ３で庫内送風用電動機７と凝縮器送風用電動機１０と電磁弁１４の通電を開始する。
【００３１】
ＳＴＥＰ４では、演算部１９ａがタイマー１６ａで計測した時間ｂ１がＳＴＥＰ１で設定した通電時間Ｂ１以上と判断したとき、制御部２４ａは第一のリレー２０を励磁し第一の接点２５を閉じＳＴＥＰ５で圧縮機４の通電を開始する。
【００３２】
このように構成された自動販売機は、圧縮機４の遅延動作時間に庫内送風用電動機７と凝縮器送風用電動機１０と電磁弁１４の通電をし、圧縮機４の吐出側と吸入側の圧力バランスをとる時間を短縮し、また圧力バランスに時間を多く要する収納室５の冷却加温設定においても、最適な圧力バランス時間を確保し、圧縮機の起動不良を解消できる。
【００３３】
（実施の形態３）
図７は、本発明の実施の形態３による自動販売機のブロック図である。図８は、同実施の形態の自動販売機の動作を示すフローチャートである。
【００３４】
図７において、各ブロックは自動販売機の周囲の温度を検知する外気温検知手段３０、電源１が切れてからあるいは収納室５の冷温設定の切り替え時からの時間を計測するタイマー１６ｂ、外気温検知手段３０で検知した温度毎に圧縮機４の運転開始を遅らせる時間（遅延時間）とその遅延時間内に庫内送風用電動機７と凝縮器送風用電動機１０と電磁弁１４の通電時間を設定する第三の圧縮機運転開始遅延手段３１、第三の圧縮機運転開始遅延手段３１で設定した通電時間を記憶する記憶部１８ｂ、外気温検知手段３０とタイマー１６ｂと記憶部１８ｂの信号を受ける演算部１９ｂ、演算部１９ｂからの信号により第一のリレー２０、第二のリレー２１、第三のリレー２２、第四のリレー２３を制御する制御部２４ｂから構成されている。
【００３５】
さらに、第一のリレー２０には第一の接点２５が対応しており、電源ライン間に圧縮機４が接続されている。第二のリレー２１には第二の接点２６が対応しており、電源ライン間に庫内送風用電動機７が接続されている。第三のリレー２２には第三の接点２７が対応しており、電源ライン間に凝縮器送風用電動機１０が接続されている。第四のリレー２３には第四の接点２８が対応しており、電源ライン間に電磁弁１４が接続されている。
【００３６】
以上のように構成された自動販売機について図８でその動作を説明する。
【００３７】
ＳＴＥＰ１では、第三の圧縮機運転開始遅延手段３１で外気温検知手段３０で検知した温度毎に遅延時間Ｃ１を設定する。設定された遅延時間Ｃ１は記憶部１８ｂに記憶される。
【００３８】
ＳＴＥＰ２では、演算部１９ｂがタイマー１６ｂで計測した時間ｃ１がＳＴＥＰ１で設定した遅延時間Ｃ１以下と判断したとき、制御部２４ｂは第一のリレー２０を励磁し第一の接点２５を開きＳＴＥＰ３で圧縮機４の通電を停止し、第二のリレー２１を励磁し第二の接点２６を閉じ、また第三のリレー２２を励磁し第三の接点２７を閉じ、またさらに第四のリレー２３を励磁し第四の接点２８を閉じＳＴＥＰ３で庫内送風用電動機７と凝縮器送風用電動機１０と電磁弁１４の通電を開始する。
【００３９】
ＳＴＥＰ４では、演算部１９ｂがタイマー１６ｂで計測した時間ｃ１がＳＴＥＰ１で設定した通電時間Ｃ１以上と判断したとき、制御部２４ｂは第一のリレー２０を励磁し第一の接点２５を閉じＳＴＥＰ５で圧縮機４の通電を開始する。
【００４０】
このように構成された自動販売機は、圧縮機４の遅延動作時間に庫内送風用電動機７と凝縮器送風用電動機１０と電磁弁１４の通電をし、圧縮機４の吐出側と吸入側の圧力バランスをとる時間を短縮し、また圧力バランスに時間を多く要する自動販売機の周囲温度の高い条件においても、最適な圧力バランス時間を確保し、圧縮機の起動不良を解消できる。
【００４１】
（実施の形態４）
図９は、本発明の実施の形態４による自動販売機のブロック図である。図１０は、同実施の形態の自動販売機の動作を示すフローチャートである。
【００４２】
図９において、各ブロックは自動販売機の冷却装置１２の冷却器８の温度を検知する冷却器温度検知手段３２、冷却装置１２の凝縮器９の温度を検知する凝縮器温度検知手段３３、冷却器温度検知手段３２と凝縮器温度検知手段３３で検知した温度が設定温度に達するまで圧縮機４の運転開始を遅らせ（遅延時間）、その遅延時間内に庫内送風用電動機７と凝縮器送風用電動機１０と電磁弁１４の通電を設定する第四の圧縮機運転開始遅延手段３４、第四の圧縮機運転開始遅延手段３４で設定した温度を記憶する記憶部１８ｃ、冷却器温度検知手段３２と凝縮器温度検知手段３３と記憶部１８ｃの信号を受ける演算部１９ｃ、演算部１９ｃからの信号により第一のリレー２０、第二のリレー２１、第三のリレー２２、第四のリレー２３を制御する制御部２４ｃから構成されている。
【００４３】
さらに、第一のリレー２０には第一の接点２５が対応しており、電源ライン間に圧縮機４が接続されている。第二のリレー２１には第二の接点２６が対応しており、電源ライン間に庫内送風用電動機７が接続されている。第三のリレー２２には第三の接点２７が対応しており、電源ライン間に凝縮器送風用電動機１０が接続されている。第四のリレー２３には第四の接点２８が対応しており、電源ライン間に電磁弁１４が接続されている。
【００４４】
以上のように構成された自動販売機について図１０でその動作を説明する。
【００４５】
ＳＴＥＰ１では、第四の圧縮機運転開始遅延手段３４で圧縮機４の遅延動作をさせる温度を設定する。設定された温度Ｄ１は記憶部１８ｃに記憶される。
【００４６】
ＳＴＥＰ２では、演算部１９ｃが冷却器温度検知手段３２と凝縮器温度検知手段３３で検知した温度ｄ１、ｄ２がＳＴＥＰ１で設定した温度Ｄ１でないと判断したとき、制御部２４ｃは第一のリレー２０を励磁し第一の接点２５を開きＳＴＥＰ３で圧縮機４の通電を停止し、第二のリレー２１を励磁し第二の接点２６を閉じ、また第三のリレー２２を励磁し第三の接点２７を閉じ、またさらに第四のリレー２３を励磁し第四の接点２８を閉じＳＴＥＰ３で庫内送風用電動機７と凝縮器送風用電動機１０と電磁弁１４の通電を開始する。
【００４７】
ＳＴＥＰ４では、演算部１９ｄが冷却器温度検知手段３２と凝縮器温度検知手段３３で検知した温度ｄ１、ｄ２がＳＴＥＰ１で設定した温度Ｄ１であると判断したとき、制御部２４ｄは第一のリレー２０を励磁し第一の接点２５を閉じＳＴＥＰ５で圧縮機４の通電を開始する。
【００４８】
このように構成された自動販売機は、圧縮機４の遅延動作時間に庫内送風用電動機７と凝縮器送風用電動機１０と電磁弁１４の通電をし、圧縮機４の吐出側と吸入側の圧力バランスをとる時間を短縮し、また圧力バランスをとるための時間を、圧縮機４の吐出側の圧力を凝縮器温度検知手段３３で検知し、また圧縮機４の吸い込み側の圧力を冷却器温度検知手段３２で検知し、より正確に圧力バランスの時間を確保し、短い周期での電源の入切が発生した場合、または短時間の停電時に、圧縮機の起動不良を解消できる。
【００４９】
（実施の形態５）
図１１は、本発明の実施の形態５による自動販売機のブロック図である。図１２は、同実施の形態の自動販売機の動作を示すフローチャートである。
【００５０】
図１１において、各ブロックは収納室５の温度を検知する庫内温度検知手段３５、庫内温度検知手段３５で検知した温度が設定温度に達するまで圧縮機４の運転開始を遅らせ（遅延時間）、その遅延時間内に庫内送風用電動機７と凝縮器送風用電動機１０と電磁弁１４の通電を設定する第五の圧縮機運転開始遅延手段３６、第五の圧縮機運転開始遅延手段３６で設定した温度を記憶する記憶部１８ｄ、庫内温度検知手段３５と記憶部１８ｄの信号を受ける演算部１９ｄ、演算部１９ｄからの信号により第一のリレー２０、第二のリレー２１、第三のリレー２２、第四のリレー２３を制御する制御部２４ｄから構成されている。
【００５１】
さらに、第一のリレー２０には第一の接点２５が対応しており、電源ライン間に圧縮機４が接続されている。第二のリレー２１には第二の接点２６が対応しており、電源ライン間に庫内送風用電動機７が接続されている。第三のリレー２２には第三の接点２７が対応しており、電源ライン間に凝縮器送風用電動機１０が接続されている。第四のリレー２３には第四の接点２８が対応しており、電源ライン間に電磁弁１４が接続されている。
【００５２】
以上のように構成された自動販売機について図１２でその動作を説明する。
【００５３】
ＳＴＥＰ１では、第五の圧縮機運転開始遅延手段３６で圧縮機４の遅延動作をさせる温度を設定する。設定された温度Ｅ１は記憶部１８ｄに記憶される。
【００５４】
ＳＴＥＰ２では、演算部１９ｄが庫内温度検知手段３５で検知した温度ｅ１がＳＴＥＰ１で設定した温度Ｅ１でないと判断したとき、制御部２４ｄは第一のリレー２０を励磁し第一の接点２５を開きＳＴＥＰ３で圧縮機４の通電を停止し、第二のリレー２１を励磁し第二の接点２６を閉じ、また第三のリレー２２を励磁し第三の接点２７を閉じ、またさらに第四のリレー２３を励磁し第四の接点２８を閉じＳＴＥＰ３で庫内送風用電動機７と凝縮器送風用電動機１０と電磁弁１４の通電を開始する。
【００５５】
ＳＴＥＰ４では、演算部１９ｅが庫内温度検知手段３５で検知した温度ｅ１がＳＴＥＰ１で設定した温度Ｅ１であると判断したとき、制御部２４ｄは第一のリレー２０を励磁し第一の接点２５を閉じＳＴＥＰ５で圧縮機４の通電を開始する。
【００５６】
このように構成された自動販売機は、圧縮機４の遅延動作時間に庫内送風用電動機７と凝縮器送風用電動機１０と電磁弁１４の通電をし、圧縮機４の吐出側と吸入側の圧力バランスをとる時間を短縮し、また圧力バランスをとるための時間を、庫内温度検知手段３５で検知し、収納室内の温度に応じてより正確に圧力バランスの時間を確保し、短い周期での電源の入切が発生した場合、または短時間の停電時に圧縮機の起動不良を解消できる。
【産業上の利用可能性】
【００５７】
本発明の自動販売機は、圧縮機の遅延動作時間に電磁弁と庫内送風用電動機と凝縮器送風用電動機に通電することで圧縮機の吐出側と吸入側の圧力バランスをとる時間を短縮し、圧縮機の起動不良を解消することができるので、自動販売機に限らず広範囲の冷却機器の圧縮機の起動制御手段として適用できる。
【図面の簡単な説明】
【００５８】
【図１】本発明の実施の形態１おける自動販売機の側面断面図
【図２】同実施の形態の自動販売機の機械室の断面図
【図３】同実施の形態の自動販売機の動作を示すブロック図
【図４】同実施の形態の自動販売機のフローチャート
【図５】本発明の実施の形態２における自動販売機の動作を示すブロック図
【図６】同実施の形態の自動販売機のフローチャート
【図７】本発明の実施の形態３における自動販売機の動作を示すブロック図
【図８】同実施の形態の自動販売機のフローチャート
【図９】本発明の実施の形態４における自動販売機の動作を示すブロック図
【図１０】同実施の形態の自動販売機のフローチャート
【図１１】本発明の実施の形態５における自動販売機の動作を示すブロック図
【図１２】同実施の形態の自動販売機のフローチャート
【図１３】従来の自動販売機の冷却装置の圧縮制御装置の動作を示すブロック図
【符号の説明】
【００５９】
４    圧縮機
５    収納室
７    庫内送風用電動機
１０  凝縮器送風用電動機
１２  冷却装置
１４  電磁弁
１６  タイマー
１６ａ  タイマー
１６ｂ  タイマー
１７  第一の圧縮機運転開始遅延手段
１８  記憶部
１８ａ  記憶部
１８ｂ  記憶部
１８ｃ  記憶部
１８ｄ  記憶部
１９  演算部
１９ａ  演算部
１９ｂ  演算部
１９ｃ  演算部
１９ｄ  演算部
２４  制御部
２４ａ  制御部
２４ｂ  制御部
２４ｃ  制御部
２４ｄ  制御部
２９  第二の圧縮機運転開始遅延手段
３０  外気温検知手段
３１  第三の圧縮機運転開始遅延手段
３２  冷却器温度検知手段
３３  凝縮器温度検知手段
３４  第四の圧縮機運転開始遅延手段
３５  庫内温度検知手段
３６  第五の圧縮機運転開始遅延手段
【図１】
2008134886.tif 000003
【図２】
2008134886.tif 000004
【図３】
2008134886.tif 000005
【図４】
2008134886.tif 000006
【図５】
2008134886.tif 000007
【図６】
2008134886.tif 000008
【図７】
2008134886.tif 000009
【図８】
2008134886.tif 000010
【図９】
2008134886.tif 000011
【図１０】
2008134886.tif 000012
【図１１】
2008134886.tif 000013
【図１２】
2008134886.tif 000014
【図１３】
2008134886.tif 000015